(57)【要約】【課題】加熱調理器本体の前板の切欠きを極力小さくすることで、外観の向上させた加熱調理器を提供すること。【解決手段】加熱調理器本体１に設けられた被加熱物を収納する加熱室２と、加熱室２の開口部を縦開き可能に設けたドア５と、ドア５の開閉動作を補助するドア開閉ユニット６を備え、加熱調理器本体１の前板３には加熱室２底面より低い位置に切欠き４が設けられ、ドア開閉ユニット６は前板３の後方から、切欠き４を通し、ドア開閉ユニット６の前板前方への突出し、ドア開閉ユニット６の突出部６ｇにドア５を取付けられるように構成された加熱調理器である。【選択図】図３
2020085329.tif 000002
【特許請求の範囲】
【請求項１】
加熱調理器本体と、
前記加熱調理器本体に設けられた被加熱物を収納する加熱室と、
上下方向に回動可能で前記加熱室の開口部を開閉可能なドアと、
前記ドアを上下方向に回動させるドア開閉ユニットと、を備え、
前記加熱調理器本体の前板下部には切欠きが設けられ、
前記ドア開閉ユニットは、前記切欠きを通し、前記ドア開閉ユニットの一部が前記前板よりも前方に突出しており、
前記ドアを略水平に開放した状態における前記前板よりも前方に突出した前記ドア開閉ユニットの一部全ては、前記加熱室の底面より低い位置に位置する加熱調理器。
【請求項２】
被加熱物を加熱するマイクロ波発生装置を備え、
前記ドアの外周部には、被加熱物の加熱中にマイクロ波の機外への流出を防止するドアチョーク構造を有し、
前記ドアを閉じた状態における前記前板の前記切欠きの上端は、前記ドアチョーク構造の下端より低い位置に位置する請求項１記載の加熱調理器。
【請求項３】
前記ドア開閉ユニットは、前記加熱室の外壁に並行して取り付けられた位置調整板と、前記位置調整板に取り付けられた回転軸と、前記回転軸を中心に回転可能に取り付けられた可動部と、前記可動部に一端が取り付けられたアームと、前記アームの他端に取り付けられたバネにより構成された、請求項１または２に記載の加熱調理器。
【請求項４】
前記ドアは凹部もしくは凸部を有するドア固定部を備え、前記可動部は前記ドア固定部に有する凹部もしくは凸部に対応する凸部もしくは凹部が設けられており、
前記可動部が前記ドアに差し込まれ、前記ドア固定部の凹部もしくは凸部と前記可動部に設けられた凸部もしくは凹部がかみ合うことで、前記ドアの動作が前記加熱調理器本体に対して規制される構成とした、請求項３記載の加熱調理器。
【請求項５】
前記ドアは前記可動部が差し込まれるガイドを有し、前記ドアを前記可動部に取付ける場合において、前記可動部を前記ガイドに差し込むことで前記ドアの動作を規制した状態で前記ドアが前記加熱調理器本体に取り付けられるように構成された、請求項３または４に記載の加熱調理器。
【請求項６】
前記ドア開閉ユニットの前記バネのバネ定数を３Ｎ／ｍｍ以上とした、請求項３〜５のいずれか１項に記載の加熱調理器。
【請求項７】
前記アームと前記バネを取り外すことなく前記ドアを前記加熱調理器本体から取り外すことを可能とした、請求項３〜６のいずれか１項に記載の加熱調理器。
【発明の詳細な説明】
【技術分野】
【０００１】
本発明は加熱調理器に関するものである。
【背景技術】
【０００２】
従来の加熱調理器としては、例えば特開２０１１−０７５１２５号公報（特許文献１）に開示されたものがある。図１０は従来の加熱調理器のドア閉時の要部側面図である。
【０００３】
この加熱調理器は被加熱物を収納する加熱室２と、加熱室２の開口部に縦開き可能に設けたドア５と、ドア５の開度を規制するドアアーム２１と、ドアアーム２１を支持するローラー２２と、ドアアーム２１に一端を固定し前記ドア５を閉じる方向に力が働くように取付けられたバネ２３と、加熱室２の外壁に並行し加熱室２の前後方向に移動可能に取り付けた位置調整板２４と、ドア５を閉じるときにドア５に減衰力を与えるダンパー２５と、を備え、ドアアーム２１は一端がドア５に取り付けられもう一方の端がドア５を閉じるときにダンパー２５を押圧するように配置し、かつローラー２２の取り付け位置を調整し、ドアアーム２１の取り付け位置を移動したときにダンパー２５が連動して移動するように構成したものである。
【０００４】
これによって、ドアと加熱調理器本体との間隔調整を容易にし、加熱室の密閉性の確保や、ドアのガタツキの改善による円滑なドアの開閉、外観向上を実現している。
【先行技術文献】
【特許文献】
【０００５】
【特許文献１】特開２０１１−０７５１２５号公報
【発明の概要】
【発明が解決しようとする課題】
【０００６】
しかしながら、特開２０１１−０７５１２５号公報に記載の発明では、位置調整部がドアを支持する部分が加熱室下面より低い位置に設けられ、アームは加熱室側面に位置することから加熱調理器本体の前板には加熱室下面より低い位置と高い位置の両方に切欠きを設けることが必要となり、位置調整板とアームの各々に対して２つの切欠きを設ける、もしくは位置調整板とアームに対応して切欠きを大きくする必要があり、外観を損ねてしまうという課題を有していた。
【０００７】
本発明は、前記従来の課題を解決するもので、加熱調理器本体の前板の切欠きを極力小さくすることで、外観の向上、前板の強度向上、切欠きからの漏波抑制を可能とした加熱調理器を提供することを目的とする。
【課題を解決するための手段】
【０００８】
前記従来の課題を解決するために、本発明の加熱調理器は、加熱調理器本体と、前記加熱調理器本体に設けられた被加熱物を収納する加熱室と、上下方向に回動可能で前記加熱室の開口部を開閉可能なドアと、前記ドアを上下方向に回動させるドア開閉ユニットと、を備え、前記加熱調理器本体の前板下部には切欠きが設けられ、前記ドア開閉ユニットは、前記切欠きを通し、前記ドア開閉ユニットの一部が前記前板よりも前方に突出しており、前記ドアを略水平に開放した状態における前記前板よりも前方に突出した前記ドア開閉ユニットの一部全ては、前記加熱室の底面より低い位置に位置する加熱調理器である。
【０００９】
これにより、加熱調理器本体の前板の切欠きを極力小さくできることで、外観の向上、
前板の強度向上、切欠きからの漏波抑制を可能とした加熱調理器を提供できる。
【発明の効果】
【００１０】
本発明の加熱調理器は、加熱調理器本体の前板の切欠きを極力小さくすることで、外観の向上、前板の強度向上、切欠きからの漏波抑制を可能とする。
【図面の簡単な説明】
【００１１】
【図１】本発明の実施の形態１における加熱調理器のドア開閉ユニット取り付け前の状態を示す斜視図
【図２】同加熱調理器の示す斜視図
【図３】同加熱調理器のドア取り付け前の状態を示す斜視図
【図４】同加熱調理器のドア取り付け前の状態を示す側面図
【図５】同加熱調理器のドア取り付け後の状態を示す斜視図
【図６】同加熱調理器の可動部とドア固定部の構成を示す要部斜視図
【図７】同加熱調理器の可動部がドア固定部に差し込まれた状態を示す要部斜視図
【図８】同加熱調理器のガイドに可動部が差し込まれた状態を示す要部斜視図
【図９】本発明の実施の形態２における加熱調理器のドアが閉まった状態を示す側面図
【図１０】従来の加熱調理器のドアが閉まった状態の要部側面図
【発明を実施するための形態】
【００１２】
第１の発明は、加熱調理器本体と、前記加熱調理器本体に設けられた被加熱物を収納する加熱室と、上下方向に回動可能で前記加熱室の開口部を開閉可能なドアと、前記ドアを上下方向に回動させるドア開閉ユニットと、を備え、前記加熱調理器本体の前板下部には切欠きが設けられ、前記ドア開閉ユニットは、前記切欠きを通し、前記ドア開閉ユニットの一部が前記前板よりも前方に突出しており、前記ドアを略水平に開放した状態における前記前板よりも前方に突出した前記ドア開閉ユニットの一部全ては、前記加熱室の底面より低い位置に位置する構成にすることにより、加熱調理器本体の前板の切欠きを極力小さくし、外観の向上、前板の強度向上、切欠きからの漏波抑制が可能な加熱調理器を提供することができる。
【００１３】
第２の発明は、第１の発明において、被加熱物を加熱するマイクロ波発生装置を備え、前記ドアの外周部には、被加熱物の加熱中にマイクロ波の機外への流出を防止するドアチョーク構造を有し、前記ドアを閉じた状態における前記前板の前記切欠きの上端は、前記ドアチョーク構造の下端より低い位置に位置することにより、加熱調理器本体の前板の切欠きを極力小さくし、外観の向上、前板の強度向上、切欠きからの漏波抑制が可能な加熱調理器を提供することができる。
【００１４】
第３の発明は、第１または第２の発明において、前記ドア開閉ユニットは、前記加熱室の外壁に並行して取り付けられた位置調整板と、前記位置調整板に取り付けられた回転軸と、前記回転軸を中心に回転可能に取り付けられた可動部と、前記可動部に一端が取り付けられたアームと、前記アームの他端に取り付けられたバネにより構成されたことにより、加熱調理器本体の前板の切欠きを極力小さくし、外観の向上、前板の強度向上、切欠きからの漏波抑制が可能な加熱調理器を提供することができる。
【００１５】
第４の発明は、第３の発明において、前記ドアは凹部もしくは凸部を有するドア固定部を備え、前記可動部は前記ドア固定部に有する凹部もしくは凸部に対応する凸部もしくは凹部が設けられており、前記可動部が前記ドアに差し込まれ、前記ドア固定部の凹部もしくは凸部と前記可動部に設けられた凸部もしくは凹部がかみ合うことで、前記ドアの動作が前記加熱調理器本体に対して規制される構成としたことにより、前記ドアを前記前板前
方に露出した前記ドア開閉ユニットに取り付けることが可能となり、加熱調理器本体の前板の切欠きを極力小さくし、外観の向上、前板の強度向上、切欠きからの漏波抑制が可能な加熱調理器を提供することができる。
【００１６】
第５の発明は、第３または第４の発明において、前記ドアは前記可動部が差し込まれるガイドを有し、前記ドアを前記可動部に取付ける場合において、前記可動部を前記ガイドに差し込むことで前記ドアの動作を規制した状態で前記ドアが前記加熱調理器本体に取り付けられるように構成されたことにより、ドアの取り付けが容易な加熱調理器を提供することができる。
【００１７】
第６の発明は、第３〜第５のいずれかの発明において、前記ドア開閉ユニットの前記バネのバネ定数を３Ｎ／ｍｍ以上とすることで、前記ドア開閉ユニットの設置スペースを省スペース化しても、ドアの密閉性を確保することが可能な加熱調理器を提供できる。
【００１８】
第７の発明は、第３〜第６のいずれかの発明において、前記アームと前記バネを取り外すことなく前記ドアを前記加熱調理器本体から取り外すことを可能としたことで、ドアの取り外し作業を簡易化し、メンテナンスや修理を容易にすることが可能な加熱調理器を提供できる。
【００１９】
以下、本発明の実施の形態について、図面を参照しながら説明する。また、この実施の形態によって本発明が限定されるものではない。
【００２０】
（実施の形態１）
図１は本発明の実施の形態における加熱調理器のドア開閉ユニット取り付け前の状態を示す斜視図である。図２は加熱調理器のドア開閉ユニットの構成を示す斜視図である。図３は加熱調理器のドア取り付け前の状態を示す斜視図である。図４は加熱調理器のドア取り付け前の状態を示す斜視図である。図５は加熱調理器のドア取り付け後の状態を示す斜視図である。図６は加熱調理器の可動部とドア固定部の構成を示す要部斜視図である。図７は加熱調理器の可動部がドア固定部に差し込まれた状態を示す要部斜視図である。図８は加熱調理器のガイドに可動部が差し込まれた状態を示す要部斜視図である。
【００２１】
図１において、加熱調理器本体１の内部に加熱室２が設けられており、被加熱物を加熱室２に収納、載置して被加熱物を加熱できるように構成されている。被加熱物を加熱する熱源としてはヒータ（図示せず）を加熱室２の上面に設けているが、ヒータ（図示せず）を加熱室２の背面に設けてもマイクロ波発生装置を加熱調理器本体１に内部に設けてマイクロ波で被加熱物を加熱をしてもよい。加熱調理器本体１の前方に取り付けられている前板３の下部には切欠き４が設けられている。切欠き４の上端は加熱室２の底面より低い位置に構成されている。また、図１の状態の加熱調理器（本体）１に前板３の後方からドア開閉ユニット６を切欠き４にドア開閉ユニット６の前方側の一部を通過させて取り付けることができる構成となっている。
【００２２】
図２において、ドア開閉ユニット６は、加熱室２の外壁に並行し加熱室２の前後方向に移動可能に取り付けられた位置調整板６ａ、アーム６ｂ、可動部６ｃ、回転軸６ｄ、バネ６ｅで構成されている。可動部６ｃは位置調整板６ａに取り付けられた回転軸６ｄを中心に少なくとも上下方向に９０度程度は回転可能に取り付けられており、アーム６ｂの一端（前端）は可動部６ｃの動作に連動するように可動部６ｃの他端（後端）に取り付けられている。
【００２３】
アーム６ｂのもう一端（後端）と位置調整板６ａの間にはバネ６ｅが取り付けられ、バネ６ｅは常に収縮方向に力を働かせる。また、アーム６ｂと位置調整板６ａ双方の所定の
位置に貫通穴（図示せず）が設けられている。可動部６ｃが任意の角度のときに、アーム６ｂと位置調整板６ａの各貫通穴が重なり合うようにし、重なり合った貫通穴にストッパー６ｆを差し込むことで、可動部６ｃを任意の角度で静止させることができる。これにより、ドア開閉ユニット６の加熱調理器本体１への取り付けを容易にできるようになる。
【００２４】
図３においては、切欠き４が加熱調理器本体１の前側左右に設けられ、かつ切欠き４の上端は加熱室２の底面より低い位置に構成されている。ドア開閉ユニット６は切欠き４を通過した状態で加熱調理器本体１の左右に取り付けられている。ドア開閉ユニット６にドア５を差し込むことで加熱調理器本体１にドア５が取り付けられるように構成されている。
【００２５】
このとき、図４におけるドア開閉ユニット６の切欠き４の前方への突出部６ｇの正面から見た断面外形の最大面積は、ドア開閉ユニット６の切欠き４の後方の庫内部６ｈの正面から見た断面外形の最大面積より小さくなるような構成となっている。これにより、庫内部６ｈの寸法が大きくなっても、突出部６ｇの寸法を小さくすれば、切欠き４を極力小さくすることができ、ドア開閉ユニット６の大きさの制限が極力緩和され、比較的自由度の高い設計が可能となる。
【００２６】
また図２および図３において、加熱調理器本体１の左右に取り付けられたドア開閉ユニット６の可動部６ｃにドア５を取り付けられる構成となっており、図５のようにドア５が加熱調理器本体１に取り付けられる。ドア５を加熱調理器本体１に取り付けた後、ドア開閉ユニット６のストッパー６ｆを取り外すことで、ドア５を図５のような水平位置（開放状態）から垂直位置（閉鎖状態）まで開閉自在にできるようになる。すなわち、ドア開閉ユニット６によりドア５を上下方向に回動可能で、加熱室２の開口部をドア５により開閉可能となる。さらに、ドア５を略水平に開放した状態における加熱調理器本体１の前板よりも前方に突出した突出部６ｇの全ては、加熱室２の底面より低い位置に位置する構成としている。
【００２７】
図６および図７において、ドア開閉ユニット６の可動部６ｃにドア５を取り付ける構成について説明する。図６において、可動部６ｃは、第１の凸部ｄ１、第２の凸部ｅ１、第３の凸部ｆ１を有している。図６ではドア５が水平位置（開放位置）に位置する場合において、第１の凸部ｄ１は可動部６ｃの前側先端に設けられ、第２の凸部ｅ１は可動部６ｃの後側上端に設けられ、第３の凸部ｆ１は可動部６ｃの後側と回転軸６ｄとの間の位置に設けられている。
【００２８】
また、ドア５はドア固定部９を有しており、ドア固定部９は第１の凹部ｄ２、第２の凹部ｅ２、第３の凹部ｆ２を有している。図６ではドア５が水平位置（開放位置）に位置する場合において、第１の凹部ｄ２はドア固定部９の最前端に設けられ、第３の凹部ｆ２はドア固定部９の後端に設けられ、第２の凹部ｅ２は第１の凹部ｄ２と第３の凹部ｆ２との間の位置に設けられている。
【００２９】
ドア５を可動部６ｃに取り付けるとき、可動部６ｃの有する第１の凸部ｄ１、第２の凸部ｅ１、第３の凸部ｆ１は、それぞれドア固定部９が有する第１の凹部ｄ２、第２の凹部ｅ２、第３の凹部ｆ２と対応しており、図７のように可動部６ｃの各凸部ｄ１、ｅ１、ｆ１がドア固定部９の各凹部ｄ２、ｅ２、ｆ２に差し込まれてかみ合うことで第１の位置規制部ｄ、第２の位置規制部ｅ、第３の位置規制部ｆにおいて、ドア５が加熱調理器本体１に対して前後左右の動作が規制されるように構成されている。さらに、可動部６ｃとドア固定部９とを図７における上方向からビス等で固定するように構成すれば、ドア５を加熱調理器本体１に取り付けることが可能な構成となっている。
【００３０】
図８において、ドア５には可動部６ｃが差し込まれるガイド１０が設けられている。ガイド１０はガイド１０に差し込まれた可動部６ｃの上下および左右方向の動作を規制することで、ドア固定部９の各凹部ｄ２、ｅ２、ｆ２に可動部６ｃの各凸部ｄ１、ｅ１、ｆ１を差し込む作業を容易にすることができる。
【００３１】
なお、可動部６ｃが有する各凸部ｄ１、ｅ１、ｆ１、ドア固定部９が有する各凹部ｄ２、ｅ２、ｆ２は本実施の形態の構成に限られず、逆転した構成としての可動部６ｃが各凹部を有し、ドア固定部９が各凸部を有する構成も含まれるものとする。また、本実施の形態において凸部や凹部の個数は３つずつとしたが、３つより個数を多くしても少なくしてもよいものとする。
【００３２】
上記の構成により、前板３の切欠き４を極力小さくすることが可能となり、外観の向上、前板の強度向上、切欠き４からの漏波の抑制を可能とした加熱調理器を提供することができる。
【００３３】
なお、ドア開閉ユニット６のバネ６ｅのバネ定数を３Ｎ／ｍｍ以上とすれば、ドア開閉ユニット６の設置スペースをより省スペース化したとしても、ドア５を閉じたときの密閉性を確保することが可能となる。
【００３４】
さらに、メンテナンスや修理等でドア５の取り外しの作業が必要となる際、ドア５をストッパー６ｆが取り付けられる角度までに開いた状態で、ストッパー６ｆを取り付けてドア５を静止させ、可動部６ｃとドア固定部９を固定するビスを外すことで、ドア５を取り外すこともできる。この際、アーム６ｂやバネ６ｅを取り外すことなく、ドア５を取り外すことが可能なため、メンテナンスや修理等での作業を比較的簡単に行うことができる。
【００３５】
（実施の形態２）
図９は本発明の実施の形態における加熱調理器のドアが閉まった状態を示す側面図である。
【００３６】
図９において、加熱調理器本体１が被加熱物を加熱するマイクロ波発生装置８を有し、特に被加熱物の加熱中にマイクロ波が加熱室２の開口部から機外へ流出することを防ぐために、ドア５の外周部にドアチョーク構造７を有している。ドア５が閉まった状態において、切欠き４の上端はドアチョーク構造７の下端位置であるドアチョーク下端位置ｂより低い位置に構成され、また、ドア開閉ユニット６のアーム６ｂの上端位置であるアーム上端位置ｃもドアチョーク下端位置ｂより低い位置に構成する。
【００３７】
このとき、切欠き４の上端位置およびドアチョーク下端位置ｂおよびアーム上端位置ｃは、いずれも加熱室２の底面である加熱室底面位置ａよりも低い位置に構成されている。
【００３８】
これにより、加熱室２内のマイクロ波が切欠き４を通って機外に漏れることを極力防ぐことができ、且つ、切欠き４をより小さくすることができ、外観や前板の強度の向上した加熱調理器を提供することができる。
【００３９】
なお、実施の形態１および２の構成を自由に組み合わせてもよいものとする。
【産業上の利用可能性】
【００４０】
本発明は加熱調理器本体の切欠きを極力小さくすることで、外観の向上をするものであり、高周波加熱装置以外にも回動自在な開閉扉を有する電化製品、家具等にも利用可能である。
【符号の説明】
【００４１】
１  加熱調理器本体
２  加熱室
３  前板
４  切欠き
５  ドア
６  ドア開閉ユニット
６ａ  位置調整板
６ｂ  アーム
６ｃ  可動部
６ｄ  回転軸
６ｅ  バネ
６ｆ  ストッパー
６ｇ  突出部
６ｈ  庫内部
７  ドアチョーク構造
８  マイクロ波発生装置
９  ドア固定部
１０  ガイド
ａ  加熱室底面位置
ｂ  ドアチョーク下端位置
ｃ  アーム上端位置
ｄ  第１の位置規制部
ｄ１  第１の凸部
ｄ２  第１の凹部
ｅ  第２の位置規制部
ｅ１  第２の凸部
ｅ２  第２の凹部
ｆ  第３の位置規制部
ｆ１  第３の凸部
ｆ２  第３の凹部
【図１】
2020085329.tif 000003
【図２】
2020085329.tif 000004
【図３】
2020085329.tif 000005
【図４】
2020085329.tif 000006
【図５】
2020085329.tif 000007
【図６】
2020085329.tif 000008
【図７】
2020085329.tif 000009
【図８】
2020085329.tif 000010
【図９】
2020085329.tif 000011
【図１０】
2020085329.tif 000012